(57)【要約】【課題】簡単な捩り操作で吸込具が左右各方向に９０度旋回する機構を備えつつ機能上の使い勝手を良くすることを目的とする。【解決手段】掃除面側に開口を有する吸込具本体1,2と、前記吸込具本体に対して所定方向に回動可能に支持された主継手部５及び前記主継手部に対して前記所定方向と直交する方向に回動可能に支持された従継手部６からなる継手部を備え、前記継手部の左右方向に回動する回動部にクリック構成を設けたものであり、吸込具が左右各方向に略９０度旋回し、使い勝手が良く、かつクリック構成による位置決めで掃除時に吸込具が左右に大きくふらついたり回転してしまうといったことは無く、直進安定性の良い使い勝手の良いものとなる。【選択図】図１
2005161100.tif 000002
【特許請求の範囲】
【請求項１】
掃除面側に開口を有する吸込具本体と、前記吸込具本体に対して所定方向に回動可能に支持された主継手部及び前記主継手部に対して前記所定方向と直交する方向に回動可能に支持された従継手部からなる継手部を備え、前記吸込具本体に対し主・従いずれか一方の継手部が上下方向に回動するとともに他方が左右方向に回動することによって吸込具本体の向きを変更可能とした電気掃除機用吸込具であって、前記継手部の左右方向に回動する回動部にクリック構成を設けた電気掃除機用吸込具。
【請求項２】
吸込具本体に対して主継手部を上下方向に回動可能に支持するとともに従継手部を前記主継手部に対して上下方向と直交する左右方向に回動可能に支持した請求項１記載の電気掃除機用吸込具。
【請求項３】
クリック機構は数度摺動できる遊びを持った請求項１または２記載の電気掃除機用吸込具。
【請求項４】
クリック機構は突起部とこれが入り込む凹部とで構成した請求項１〜３のいずれか１項記載の電気掃除機用吸込具。
【請求項５】
請求項１〜４のいずれか１項記載の吸込具を備えた電気掃除機。
【発明の詳細な説明】
【技術分野】
【０００１】
本発明は電気掃除機用吸込具及び前記吸込具を用いた電気掃除機に関するものである。
【背景技術】
【０００２】
近年、家具間等の狭い隙間のゴミや部屋の壁際のゴミを、吸込具を付け替えることなく掃除中に簡単な操作で掃除することができる電気掃除機が要望されていた。その問題を解決するため従来の掃除機では図１９に示す様な構成があった。
【０００３】
以下にその構成を図１９、図２０を用いて説明する。
【０００４】
吸込具は、上部枠体１と下部枠体２とにより形成されており、内部に集塵室３を有し前記集塵室３の掃除面方向には下部枠体２に開口４が設けられている。吸込具後部には上部枠体１と下部枠体２によって上下に回動自在にアーム４６が挟持されている。またこのアーム４６は掃除面に対し、上下方向に回動する構成となっている。４７は、延長管４４の接続方向と前記アーム４６との取り付け方向が９０度曲げられた形状をした接続パイプであり、前記アーム４６の上部に垂直方向にかつ周方向に略１８０度回動自在に取り付けられている。
【０００５】
そして接続パイプ４７には、延長管４４が接続され、延長管４４の他端には取手部４８が接続され、取手部４８の後方にはホース４５が接続されている。
【０００６】
上記構成より、取手部４８を握る人の前後に歩く姿勢の方向に対し吸込具の長手方向４９が垂直方向にあったものが、取手部を左右に捩ることで、吸込具が左右各方向に略９０度旋回し、吸込具の長手方向４９と前後に歩く姿勢の方向が同方向となり、部屋の壁際のゴミを容易に吸い取ることができ、また吸込具の長手幅の邪魔がなくなるため、家具間等の狭い隙間のゴミも吸込具を付け替えることなく簡単な捩り操作で掃除することができる。
【発明の開示】
【発明が解決しようとする課題】
【０００７】
しかしながら、これらの電気掃除機用吸込具は、図１９、図２０に示す様に、アーム４６と接続パイプ４７の中を流れる風が９０度方向に２回も狭い空間５０内で曲げられるため、そこで発生する風切り騒音が大きくなるといった問題を有していた。
【０００８】
また、構成が複雑となり部品点数も多くなるといった問題も有していた。
【０００９】
また、接続パイプ４７が９０度曲げられた形状から、延長管４４の取付位置がアーム４６の回動支点５１より高い位置にありかつ、その高い位置にて接続パイプ４７が左右方向に回動するため、延長管４４操作時の力のベクトル方向が吸込具を直進に押す方向から左右どちらかの方向にズレると、吸込具が接続パイプ４７の回動軸５２を中心にして回転してしまい、掃除時に吸込具が左右にふらついたり回転してしまうといった使い勝手が良くないといった問題も有していた。
【００１０】
本発明は、上記問題を解決するもので、簡単な捩り操作で吸込具が左右各方向に９０度旋回する機構を備えつつ、機能上の使い勝手を良くすることを目的とする。
【課題を解決するための手段】
【００１１】
上記目的を達成するために本発明は、掃除面側に開口を有する吸込具本体と、前記吸込具本体に対して所定方向に回動可能に支持された主継手部及び前記主継手部に対して前記所定方向と直交する方向に回動可能に支持された従継手部からなる継手部を備え、前記吸込具本体に対し主・従いずれか一方の継手部が上下方向に回動するとともに他方が左右方向に回動することによって吸込具本体の向きを変更可能とした電気掃除機用吸込具であって、前記継手部の左右方向に回動する回動部にクリック構成を設けたものであり、吸込具が左右各方向に略９０度旋回するとともに、吸込具が不用意に回転することなく使用頻度が多い直進方向に軽度にロック規制される。
【発明の効果】
【００１２】
本発明は、吸込具が左右各方向に略９０度旋回し、吸込具の長手方向と前後に歩く姿勢の方向が同方向となり、部屋の壁際のゴミを容易に吸い取ることができ、また吸込具の長手幅の邪魔がなくなるため、家具間等の狭い隙間のゴミも簡単な捩り操作で掃除することができ、使い勝手が良く掃除作業の向上を図ることができるとともに、クリック構成による位置決め手段が設けられていることにより、吸込具が不用意に回転することなく使用頻度が多い直進方向に軽度にロック規制されるため、掃除時に吸込具が左右に大きくふらついたり回転してしまうといったことは無く、直進安定性が良く使い勝手を良くすることができる。
【発明を実施するための最良の形態】
【００１３】
本発明の請求項１記載の発明は、掃除面側に開口を有する吸込具本体と、前記吸込具本体に対して所定方向に回動可能に支持された主継手部及び前記主継手部に対して前記所定方向と直交する方向に回動可能に支持された従継手部からなる継手部を備え、前記吸込具本体に対し主・従いずれか一方の継手部が上下方向に回動するとともに他方が左右方向に回動することによって吸込具本体の向きを変更可能とした電気掃除機用吸込具であって、前記継手部の左右方向に回動する回動部にクリック構成を設けたものであり、吸込具が左右各方向に略９０度旋回し、吸込具の長手方向と前後に歩く姿勢の方向が同方向となり、部屋の壁際のゴミを容易に吸い取ることができ、また吸込具の長手幅の邪魔がなくなるため、家具間等の狭い隙間のゴミも簡単な捩り操作で掃除することができ、使い勝手が良く掃除作業の向上を図ることができるとともに、クリック構成による位置決め手段が設けられていることにより、吸込具が不用意に回転することなく使用頻度が多い直進方向に軽度にロック規制されるため、掃除時に吸込具が左右に大きくふらついたり回転してしまうといったことは無く、直進安定性が良く使い勝手を良くすることができる。
【００１４】
この請求項１記載の発明において、主継手部を吸込具本体に対して上下方向に回動可能に支持するとともに従継手部を前記主継手部に対して上下方向と直交する左右方向に回動可能に支持するのが好ましい。
【００１５】
また、クリック機構は数度摺動できる遊びを持たせるのが好ましい。
【００１６】
更に、上記クリック機構はクリック機構は突起部とこれが入り込む凹部とで構成するのが好ましい。
【００１７】
（実施例１）
以下本発明の第１の実施例を図１〜図４において説明する。
【００１８】
吸込具は、上部枠体１と下部枠体２とにより形成されており、内部に集塵室３を有し集塵室３の掃除面方向には下部枠体２に開口４が設けられている。吸込具後部には上部枠体１と下部枠体２によって上下に回動自在に主継手部５が挟持されている。またこの主継手部５は掃除面に対し、略水平方向から略垂直方向まで回動する構成となっている。６は従継手部であり、接続パイプ７を保持しかつ、前記主継手部５とは左右方向に略１８０度回動自在に取り付けられている。８はゴム等の柔軟材料の継手管であり、主継手部５と従継手部６の内部を通り、吸引口９と接続パイプ７とを連結し、集塵通路を形成している。そして接続パイプ７には、延長管４４が接続されている。
【００１９】
上記構成よる作用は以下の通りである。
【００２０】
図４に示す様に、吸込具を床面に接地させた状態で、延長管４４を左方向に捩って行くと、従継手部６は左方向に主継手部５は上方向に回動しはじめると同時に、吸込具も左方向に旋回しはじめ、略９０度まで捩った時点で主継手部５は床面に対し略垂直方向に達し、吸込具は左方向に略９０度旋回する。その時、継手管８はゴム等の材料の柔軟性により、曲がりながら集塵通路を確保している。その結果、吸込具の長手方向ａ１０は、延長管４４の長手方向ｃ５３と略平行５４で、人が前後に歩く姿勢の方向とが同方向となっており、部屋の壁際のゴミを容易に吸い取ることができ、また吸込具の長手幅の邪魔がなくなるため、家具間等の狭い隙間のゴミ掃除も簡単な捩り操作ででき、使い勝手が良く、掃除作業の向上を図ることができる。そして、右方向に捩った時も同様な作用が得られる。
【００２１】
その時また、吸引口９から継手管８を経て接続パイプ７までの連結する集塵通路が、直線上に連通して配置されかつ、継手管８がゴム等の材料の柔軟性により緩やかに曲がるため、従来例図１９に示す様に風の流路を狭い空間５０内で屈曲させることが無いので、風切り騒音を低減でき静音化が図れる。
【００２２】
また、構成がシンプルで部品点数が少なく、組立て易いためコスト低減が図かれる。
【００２３】
また、この実施例では２軸の関節の場合で説明したが、軸が複数になった場合でも同様の効果が得られることは、容易に推測できるものである。
【００２４】
（実施例２）
次に本発明の第２の実施例を図１、図２において説明する。なお上記第一の実施例と同一構成部品については同一符号を付して、その説明を省略する。
【００２５】
主継手部５には掃除面に対し上下方向に回動する上下回動軸１１と前記上下回動軸１１に直交し左右方向に回動する左右回動軸１２を備えている。
【００２６】
吸込具の上部枠体１側には、前記主継手部５の上下回動軸１１を組み付け、主継手部５は略水平方向から略垂直方向まで回動する。主継手部５の左右回動軸１２には、接続パイプ７を保持した従継手部６を組み付け、左右方向に略１８０度回動する構成となっている。そして、８はゴム等の柔軟材料の継手管であり、主継手部５と従継手部６の内部を通り、吸引口９と接続パイプ７とを連結し、集塵通路を形成している。
【００２７】
上記構成よる作用は以下の通りである。
【００２８】
主継手部５に上下回動と左右回動が直交した２つの関節を備え、上下回動軸１１の中間点１３と左右回動軸１２の中間点１４を結ぶ中心線１５が一直線上で常に一定長さであり、かつ吸込具が直進時には前記中心線１５の方向と接続パイプ７の取付方向が同方向になるため、吸込具操作方向の力が主継手部５の上下回動軸１１と左右回動軸１２に操作通りに配分されて作用し、吸込具の操作追従性と直進安定性に優れ、使い勝手が良く掃除作業の向上を図ることができる。
【００２９】
（実施例３）
次に本発明の第３の実施例を図３において説明する。なお上記第一の実施例と同一構成部品については同一符号を付して、その説明を省略する。
【００３０】
前記集塵室３内の塵埃を含んだ大気を吸引する前記吸引口９は、集塵室の斜め後方で掃除面に対し傾斜１６する様に配置させた。
【００３１】
上記構成よる作用は以下の通りである。
【００３２】
前記吸引口９と前記接続パイプ７とを連結するゴム等の柔軟材料からなる継手管８が、掃除面に対し水平方向から垂直方向まで上下に屈曲する中間位置１７で一直線に配置されるため、吸込具の操作時において継手管８を上下に曲げ易く操作が軽くなると共に、継手管８に与える伸び縮みの負担が少なく耐久性が向上する。
【００３３】
（実施例４）
次に本発明の第４の実施例を図１において説明する。なお上記第一の実施例と同一構成部品については同一符号を付して、その説明を省略する。
【００３４】
下部枠体２には掃除面に接地するローラー１８を開口４の後方に備え、主継手部５の上下回動軸１１を吸込具本体側の前記開口４と前記ローラー１８の回転軸１９との間に配置させた。
【００３５】
上記構成よる作用は以下の通りである。
【００３６】
吸込具操作時にローラー１８を掃除面に押しつける力が作用し、ローラー１８の回転軸１９を支点にして吸込具の前方部が浮き上がるといったことは無くなり、吸込具を床面に安定して接地させ、使い勝手を良くすることができる。
【００３７】
（実施例５）
次に本発明の第５の実施例を図５において説明する。なお上記第一の実施例と同一構成部品については同一符号を付して、その説明を省略する。
【００３８】
主継手部５の上下回動軸１１に嵌合し回動する吸込具本体の上方向での最大回動位置において前記主継手部５と前記吸込具本体との間に空間部２０を設けた。
【００３９】
上記構成よる作用は以下の通りである。
【００４０】
万が一人の手の指が主継手部５と吸込具本体との間に入った状態で最大回動位置まで曲げても、空間部２０が設けてあるので、指が挟まれることは無く安全である。
【００４１】
（実施例６）
次に本発明の第６の実施例を図６、図７において説明する。なお上記第一の実施例と同一構成部品については同一符号を付して、その説明を省略する。
【００４２】
吸込具の従継手部６と接続パイプ７の構成において左右回動軸１２に垂直な方向に対し５度下方に角度２１を設けた。
【００４３】
上記構成よる作用は以下の通りである。
【００４４】
吸込具操作時の力のベクトル方向成分の内の吸込具を床面に押しつける下向きの力２２が作用し、吸込具を床面に安定して接地させ、掃除時の吸込具の左右ふらつきや回転等が減少し、使い勝手を良くすることができる。
【００４５】
またこの角度が小さ過ぎると、吸込具を床面に押しつける下向きの力２２が十分に得られず、吸込具の左右ふらつきや回転等を減少させる効果が薄れてしまう。
【００４６】
また逆にこの角度が５度より大きくなって行くと、吸込具を前に進ませる力より下に押しつける力の方が大きくなり、吸込具の操作力が重くなり操作性が悪くなる。
【００４７】
（実施例７）
次に本発明の第７の実施例を図８において説明する。なお上記第一の実施例と同一構成部品については同一符号を付して、その説明を省略する。
【００４８】
掃除面に対し左右方向に回動する回動部において、主継手部５に突起部ａ２３を、従継手部６側には、吸込具の左右方向の回動の中立位置において前記突起部ａ２３が入り込む凹部を先端に有する突起部ｂ２４を設け、また突起部ｂ２４内で突起部ａ２３が数度摺動できる遊び２５を設けた。
【００４９】
上記構成よる作用は以下の通りである。
【００５０】
クリック構成２６によって位置決め手段が設けられていることにより、吸込具が不用意に回転することなく、使用頻度が多い直進方向において遊び２５をもたせながら軽度にロック規制されるため、掃除時の直進安定性が良く、使い勝手を良くすることができる。
【００５１】
（実施例８）
次に本発明の第８の実施例を図９において説明する。なお上記第一の実施例と同一構成部品については同一符号を付して、その説明を省略する。
【００５２】
可撓性材料からなる継手管８の両端部にポリプロピレン樹脂等の硬質の材料からなる接続管２７と接続パイプ７を一体成形したもので、一体成形により継手管８と接続管２７及び接続パイプ７との組付けと接着が不要になり、組立性の向上とエアータイト性の向上を図ることができる。
【００５３】
（実施例９）
次に本発明の第９の実施例を図１０において説明する。なお上記第一の実施例と同一構成部品については同一符号を付して、その説明を省略する。
【００５４】
接続パイプ７の外周上部にリブ２８を設け、二部品よりなる従継手部２９の各々の内側に前記リブ２８が入り込む溝部３０を設け、接続パイプ７と主継手部５とを挟み込んで固定する構成にした。
【００５５】
上記構成よる作用は以下の通りである。
【００５６】
主継手部５と従継手部２９及び接続パイプ７の３部品の組立ての位置規制が容易にでき、組立ての精度と作業性向上を図ることができる。
【００５７】
（実施例１０）
次に本発明の第１０の実施例を図１１と図４において説明する。なお上記第一の実施例と同一構成部品については同一符号を付して、その説明を省略する。
【００５８】
図１１に示す様に可撓性材料からなる継手管８を蛇腹形状３１に形成した。
【００５９】
上記構成よる作用は以下の通りである。
【００６０】
蛇腹形状３１にしたことで曲げ圧縮に対し柔軟になり、図４に示す様に接続パイプ７を左右各方向に捩って継手管８を曲げて吸込具を左右各方向に９０度旋回させる時等の操作性が良くなり、使い勝手を良くすることができる。
【００６１】
（実施例１１）
次に本発明の第１１の実施例を図１１において説明する。なお上記第一の実施例と同一構成部品については同一符号を付して、その説明を省略する。
【００６２】
吸引口９と接続パイプ７とを連結する可撓性材料からなる継手管８の一部形状をラッパ形状３２とし、前記継手管８の断面積は前記吸引口９側で大きくし風の下流方向の接続パイプ７側にかけて小さくなる様に徐変させた。
【００６３】
上記構成よる作用は以下の通りである。
【００６４】
風の流れが整流されてスムーズになり、吸引口辺りで発生する風切り騒音を小さくすることができる。
【００６５】
（実施例１２）
次に本発明の第１２の実施例を図１２において説明する。なお上記第一の実施例と同一構成部品については同一符号を付して、その説明を省略する。
【００６６】
継手管８の断面積が吸引口９側で大きく主継手部５の左右回動軸１２に向けて小さくなる様に徐変３３させ、前記左右回動軸１２近傍から接続パイプ７にかけては一定３４になる様にした。
【００６７】
上記構成よる作用は以下の通りである。
【００６８】
前記左右回動軸１２辺りでの継手管８の断面積が小さいため、継手管８の屈曲性が良くて曲げ易く操作が軽くなると共に、継手管８に与える伸び縮みの負担が少なく耐久性が向上する。
【００６９】
（実施例１３）
次に本発明の第１３の実施例を図１３において説明する。
【００７０】
蛇腹形状３１の内面側凸部面にフラット部３５を設けた。
【００７１】
上記構成よる作用は以下の通りである。
【００７２】
蛇腹形状３１における一定長さ当たりの凹凸部の数が減り、凹凸部３６で発生する風の乱流を軽減でき、風切り音が軽減され静音化を図ることができる。
【００７３】
（実施例１４）
次に本発明の第１４の実施例を図１４において説明する。
【００７４】
前記フラット部３５には、風の流入方向に沿って、風が常に中心方向を向く様に傾斜３７を設けた。
【００７５】
上記構成よる作用は以下の通りである。
【００７６】
風が常に中心方向を向く様になり、蛇腹形状３１内壁側の凹凸部３６で発生する風の乱流を整流する作用が働き、風切り音が軽減され静音化を図ることができる。
【００７７】
（実施例１５）
次に本発明の第１５の実施例を図１５において説明する。
【００７８】
蛇腹形状３１の内壁側の凸部は、風の流入方向に対し、上流側の稜線にＲ３９を、下流側の稜線にエッジ３８を形成した。
【００７９】
上記構成よる作用は以下の通りである。
【００８０】
蛇腹形状３１内壁側の凹凸部３６で発生する風の乱流において、下流側のエッジ３８によって凹溝部に引き込まれる風の渦流４０を減少させる作用が働き、また、上流側のＲ３９によって巻き込んだ風の渦流４０をスムーズに外に排出させる作用が働き、風切り音が軽減され静音化を図ることができる。
【００８１】
（実施例１６）
次に本発明の第１６の実施例を図１６において説明する。なお上記第一の実施例と同一構成部品については同一符号を付して、その説明を省略する。
【００８２】
内部に塵埃を集塵する集塵室４１と電動送風機４２を備えた電気掃除機本体４３に、少なくとも請求項１〜１６のいずれか１項記載の電気掃除機用吸込具と延長管４４とホース４５とを介して連通するように接続される吸込口を備えたことにより、掃除作業性に優れた電気掃除機を提供することができる。
【００８３】
尚、上記１〜１６の実施例においては、主継手部５の上下回動軸１１が吸込具本体に嵌合して回動し、また従継手部６が主継手部５の左右回動軸１２に嵌合して回動する構成を説明したが、図１７と図１８に示す様に、上下回動軸１１と左右回動軸１２の配置が入れ替わった構成においても同様の効果が得られるものである。
【産業上の利用可能性】
【００８４】
本発明は、吸込具が左右各方向に旋回し、吸込具の長手方向が前後に歩く姿勢の方向に近づき、部屋の壁際のゴミを容易に吸い取ることができ、使い勝手が良く掃除作業の向上を図ることができる。加えて、吸込具が不用意に回転することなく使用頻度が多い直進方向に軽度にロック規制されるため、掃除時に吸込具が左右に大きくふらついたり回転してしまうといったことは無く、直進安定性が良く使い勝手を良くすることができる。
【図面の簡単な説明】
【００８５】
【図１】本発明の第１、第２、第４の実施例を示す電気掃除機用吸込具の全体断面図
【図２】本発明の第１、第２の実施例を示す同電気掃除機用吸込具の全体平面図
【図３】本発明の第１、第３の実施例を示す同電気掃除機用吸込具の一部破断側面図
【図４】本発明の第１、第１０の実施例を示す同電気掃除機用吸込具の全体平面図
【図５】本発明の第５の実施例を示す同電気掃除機用吸込具の一部破断側面図
【図６】本発明の第６の実施例を示す同電気掃除機用吸込具の要部断面図
【図７】本発明の第６の実施例を示す同電気掃除機用吸込具の全体側面図
【図８】本発明の第７の実施例を示す同電気掃除機用吸込具の要部平面図
【図９】本発明の第８の実施例を示す同電気掃除機用吸込具の要部断面図
【図１０】本発明の第９の実施例を示す同電気掃除機用吸込具の分解平面図
【図１１】本発明の第１０、第１１の実施例を示す同電気掃除機用吸込具の要部断面図
【図１２】本発明の第１２の実施例を示す同電気掃除機用吸込具の要部平面図
【図１３】本発明の第１３の実施例を示す同電気掃除機用吸込具の要部断面図
【図１４】本発明の第１４の実施例を示す同電気掃除機用吸込具の要部断面図
【図１５】本発明の第１５の実施例を示す同電気掃除機用吸込具の要部断面図
【図１６】本発明の第１６の実施例を示す同電気掃除機の全体側面図
【図１７】本発明の第１〜１７の実施例の別構成を示す同電気掃除機用吸込具の全体側面図
【図１８】本発明の第１〜１７の実施例の別構成を示す同電気掃除機用吸込具の全体平面図
【図１９】従来の電気掃除機用吸込具の断面図
【図２０】従来の電気掃除機用吸込具の全体斜視図
【符号の説明】
【００８６】
１  上部枠体
２  下部枠体
３  集塵室
４  開口
５  主継手部
６  従継手部
７  接続パイプ
８  継手管
９  吸引口
１０  長手方向ａ
１１  上下回動軸
１２  左右回動軸
１６  傾斜
１８  ローラー
２０  空間部
２１  ５度
２６  クリック構成
２７  接続管
３１  蛇腹形状
３２  ラッパ形状
３５  フラット部
３７  傾斜
３８  エッジ
３９  Ｒ
４１  集塵室
４２  電動送風機
４３  電気掃除機本体
４４  延長管
５３  長手方向ｃ
５４  略平行
【図１】
2005161100.tif 000003
【図２】
2005161100.tif 000004
【図３】
2005161100.tif 000005
【図４】
2005161100.tif 000006
【図５】
2005161100.tif 000007
【図６】
2005161100.tif 000008
【図７】
2005161100.tif 000009
【図８】
2005161100.tif 000010
【図９】
2005161100.tif 000011
【図１０】
2005161100.tif 000012
【図１１】
2005161100.tif 000013
【図１２】
2005161100.tif 000014
【図１３】
2005161100.tif 000015
【図１４】
2005161100.tif 000016
【図１５】
2005161100.tif 000017
【図１６】
2005161100.tif 000018
【図１７】
2005161100.tif 000019
【図１８】
2005161100.tif 000020
【図１９】
2005161100.tif 000021
【図２０】
2005161100.tif 000022